(57)【要約】【課題】  熱転写シートを傷つけてしまうことなく熱転写シートを取り扱うことができるとともに、熱転写シートを熱転写シート体用カセットに容易に収納取り付けおよび取り外しすることができる供給コア収納体を提供する。【解決手段】  供給コア収納体１０は、熱転写印刷に用いられる熱転写シート５と、熱転写シート５を巻き取る供給コア１１と、供給コア１１を回転自在に保持して収納する収納ケース３０と、を備えている。収納ケース３０は供給コア１１の回転軸方向に沿って延びるスリット３３を有している。供給コア１１に巻き取られた熱転写シート５はスリット３３から繰り出される。【選択図】  図１
2006281530.tif 000002
【特許請求の範囲】
【請求項１】
熱転写印刷に用いられる熱転写シートと、
熱転写シートを巻き取る供給コアと、
供給コアを回転自在に保持して収納する収納ケースとを備え、
収納ケースは、供給コアの回転軸方向に沿って延び供給コアに巻き取られた熱転写シートを繰り出すためのスリットを有することを特徴とする供給コア収納体。
【請求項２】
供給コアは収納ケース内で回転軸方向に沿って移動自在に保持されることを特徴とする請求項１に記載の供給コア収納体。
【請求項３】
収納ケースはケース本体と、ケース本体に装着されるケース蓋体とを有することを特徴とする請求項１に記載の供給コア収納体。
【請求項４】
収納ケースは、供給コアの両端部にそれぞれ係合する一対の開口軸受を、両端面にそれぞれ有することを特徴とする請求項１に記載の供給コア収納体。
【請求項５】
熱転写印刷に用いられる熱転写シートと、熱転写シートを巻き取る供給コアと、供給コアを回転自在に保持して収納する収納ケースとを有する供給コア収納体と、
供給コア収納体から繰り出される熱転写シートを巻き取る巻取コアとを備え、
供給コア収納体の収納ケースは、供給コアの回転軸方向に沿って延び供給コアに巻き取られた熱転写シートを繰り出すためのスリットを有することを特徴とする熱転写シート体。
【請求項６】
供給コア収納体の供給コアは収納ケース内で回転軸方向に沿って移動自在に保持されることを特徴とする請求項５に記載の熱転写シート体。
【請求項７】
供給コア収納体の収納ケースはケース本体と、ケース本体に装着されるケース蓋体とを有することを特徴とする請求項５に記載の熱転写シート体。
【請求項８】
供給コア収納体の収納ケースは、供給コアの両端部にそれぞれ係合する一対の開口軸受を、両端面にそれぞれ有することを特徴とする請求項５に記載の熱転写シート体。
【請求項９】
請求項５記載の熱転写シート体と、熱転写シート体を収納する熱転写シート体用カセットと、を備えた熱転写シート体と熱転写シート体用カセットとの組合せ体において、
熱転写シート体用カセットは、供給コア収納体を保持する供給コア収納体保持部と、巻取コアを回転自在に保持する巻取コア保持部と、これら供給コア収納体保持部と巻取コア保持部とを連結する連結部とを有することを特徴とする熱転写シート体と熱転写シート体用カセットとの組合せ体。
【請求項１０】
供給コア収納体保持部は、供給コア収納体の一側端部を受ける開口を有し外方に反ることができる支持板と、支持板の外方に揺動自在に設けられ供給コアの一側端部を一側から他側に向けて押圧する押圧部材とを有し、
巻取コア保持部は、巻取コアの一側端部を受ける開口を有し外方に反ることができる支持板と、支持板の外方に揺動自在に設けられ巻取コアの一側端部を一側から他側に向けて押圧する押圧部材とを有することを特徴とする請求項９に記載の熱転写シート体と熱転写シート体用カセットとの組合せ体。
【請求項１１】
熱転写シート体用カセットは、供給コア収納体保持部から巻取コア保持部まで延び、外方に揺動自在な端壁を有し、
端壁は供給コア収納体保持部の支持板と巻取コア保持部の支持板とに係合することを特徴とする請求項１０に記載の熱転写シート体と熱転写シート体用カセットとの組合せ体。
【請求項１２】
供給コア収納体の収納ケースは供給コア収納体保持部に係合し、供給コア収納体が供給コア収納体保持部に保持された際に、供給コア収納体保持部内での収納ケースの回転が規制されることを特徴とする請求項１０に記載の熱転写シート体と熱転写シート体用カセットとの組合せ体。
【請求項１３】
押圧部材と供給コア収納体保持部との間、および押圧部材と巻取コア保持部との間にトーションバネが設けられていることを特徴とする請求項１０に記載の熱転写シート体と熱転写シート体用カセットとの組合せ体。
【発明の詳細な説明】
【技術分野】
【０００１】
本発明は、熱転写シートと熱転写シートを巻き付ける供給コアと供給コアを回転自在に保持する収納ケースとを備えた供給コア収納体、供給コア収納体と供給コア収納体から繰り出される巻取コアとを備えた熱転写シート体、および熱転写シート体と熱転写シート体を収納する熱転写シート体用カセットとの組合せ体に関する。
【背景技術】
【０００２】
従来、熱転写シートは、熱転写シートと、熱転写シートを巻き付ける巻取コアおよび供給コアとからなる熱転写シート体としてプリンタ内に組み込まれている。そしてプリンタ内において、熱転写シートは供給コアから繰り出されて巻取コアに巻き取られる間にサーマルヘッドにより加熱され、受像シートに画像が転写される。
【０００３】
このような熱転写シートは、基材シートに０．４〜１μｍ程度の膜厚でインクを塗り付けることによって形成されており、非常に傷つきやすくなっている。したがって、流通過程において、熱転写シートを巻き付けた供給コアが巻取コアや他の物に接触して、熱転写シートを傷つけてしまう虞がある。同様に熱転写シート体をプリンタ内に組み込む際に熱転写シートを傷つけてしまう虞がある。
【０００４】
このような問題点を解決するために、熱転写シート体は専用の熱転写シート体用カセットに収納された状態で出荷され、その後、流通過程に乗る。最終的には、熱転写シート体用カセットに収納されたままの状態で熱転写シート体はユーザーによってプリンタ内に組み込まれる。また、熱転写シートを使い切った場合には、熱転写シート体とともに熱転写シート体用カセットも廃棄され、新たな熱転写シート体と熱転写シート体用カセットとの組合せ体がプリンタ内に組み込まれる。
【０００５】
このような熱転写シート体用カセットは供給コアを保持するコア保持部と巻取コアを保持するコア保持部とを有するコア保持体と、これらのコア保持体を覆う蓋体とを備えている（例えば特許文献１）。また、巻取コアおよび供給コアは、熱転写シート体用カセット内において、通常スプリングによって一方向に押圧されている。
【０００６】
巻取コアおよび供給コアは一方向に押圧され、カセットに設けられた係合部によって回転が規制され、熱転写シートの巻き弛みが防止される。
【０００７】
他方、使用時には、巻取コアと供給コアは外部の駆動機構によりスプリングの力に抗して移動し、係合部から解放される。これによって、巻取コアと供給コアは回転可能となり、駆動機構により回転されるようになる。
【０００８】
すなわち、スプリングを設けることによって、不使用時に熱転写シートが供給コアおよび巻取コアから巻き戻って傷つけられてしまうことを防止している。
【特許文献１】ＵＳＰ５１１０２２８号公報
【発明の開示】
【発明が解決しようとする課題】
【０００９】
しかしながら、熱転写シート体用カセットを使い捨てにすると、一回あたりの熱転写シートの交換費用を上昇させてしまうだけでなく、資源節約による自然環境保護の観点からも好ましくない。
【００１０】
また、仮に熱転写シート体のみを使い捨てとした場合、その都度、熱転写シート体用カセットから使い切った熱転写シート体を取り外し、新しい熱転写シート体を熱転写シート体用カセットへ収納装着しなければならない。この場合、熱転写シート体用カセット自体が小さく、また上述したように、熱転写シート体と熱転写シート体用カセットとの間にスプリングが介在している。したがって、熱転写シート体用カセットへの新しい熱転写シート体の収納装着は容易な作業ではなく、スプリングを破損してしまったり、紛失してしまったりする虞がある。また、ユーザーにこのような困難な作業を要求することは、商業上好ましくない。
【００１１】
本発明はこのような点を考慮してなされたものであり、熱転写シートを傷つけてしまうことなく熱転写シートを取り扱うことができるとともに、熱転写シートを熱転写シート体用カセットに容易に収納すること、および熱転写シート体用カセットから容易に取り外すことができる供給コア収納体、熱転写シート体、および熱転写シート体と熱転写シート体を収納する熱転写シート体用カセットとの組合せ体を提供することを目的とする。
【課題を解決するための手段】
【００１２】
本発明は、熱転写印刷に用いられる熱転写シートと、熱転写シートを巻き取る供給コアと、供給コアを回転自在に保持して収納する収納ケースとを備え、収納ケースは、供給コアの回転軸方向に沿って延び供給コアに巻き取られた熱転写シートを繰り出すためのスリットを有することを特徴とする供給コア収納体である。
【００１３】
本発明は、供給コアは収納ケース内で回転軸方向に沿って移動自在に保持されることを特徴とする供給コア収納体である。
【００１４】
本発明は、収納ケースはケース本体と、ケース本体に装着されるケース蓋体とを有することを特徴とする供給コア収納体である。
【００１５】
本発明は、収納ケースは、供給コアの両端部にそれぞれ係合する一対の開口軸受を、両端面にそれぞれ有することを特徴とする供給コア収納体である。
【００１６】
本発明は、熱転写印刷に用いられる熱転写シートと、熱転写シートを巻き取る供給コアと、供給コアを回転自在に保持して収納する収納ケースとを有する供給コア収納体と、供給コア収納体から繰り出される熱転写シートを巻き取る巻取コアとを備え、供給コア収納体の収納ケースは、供給コアの回転軸方向に沿って延び供給コアに巻き取られた熱転写シートを繰り出すためのスリットを有することを特徴とする熱転写シート体である。
【００１７】
本発明は、供給コア収納体の供給コアは収納ケース内で回転軸方向に沿って移動自在に保持されることを特徴とする熱転写シート体である。
【００１８】
本発明は、供給コア収納体の収納ケースはケース本体と、ケース本体に装着されるケース蓋体とを有することを特徴とする熱転写シート体である。
【００１９】
本発明は、供給コア収納体の収納ケースは、供給コアの両端部にそれぞれ係合する一対の開口軸受を、両端面にそれぞれ有することを特徴とする熱転写シート体である。
【００２０】
本発明は、上述した熱転写シート体と、熱転写シート体を収納する熱転写シート体用カセットと、を備えた熱転写シート体と熱転写シート体用カセットとの組合せ体において、熱転写シート体用カセットは、供給コア収納体を保持する供給コア収納体保持部と、巻取コアを回転自在に保持する巻取コア保持部と、これら供給コア収納体保持部と巻取コア保持部とを連結する連結部とを有することを特徴とする熱転写シート体と熱転写シート体用カセットとの組合せ体である。
【００２１】
本発明は、供給コア収納体保持部は、供給コア収納体の一側端部を受ける開口を有し外方に反ることができる支持板と、支持板の外方に揺動自在に設けられ供給コアの一側端部を一側から他側に向けて押圧する押圧部材とを有し、巻取コア保持部は、巻取コアの一側端部を受ける開口を有し外方に反ることができる支持板と、支持板の外方に揺動自在に設けられ巻取コアの一側端部を一側から他側に向けて押圧する押圧部材とを有することを特徴とする熱転写シート体と熱転写シート体用カセットとの組合せ体である。
【００２２】
本発明は、熱転写シート体用カセットは、供給コア収納体保持部から巻取コア保持部まで延び、外方に揺動自在な端壁を有し、端壁は供給コア収納体保持部の支持板と巻取コア保持部の支持板とに係合することを特徴とする熱転写シート体と熱転写シート体用カセットとの組合せ体である。
【００２３】
本発明は、供給コア収納体の収納ケースは供給コア収納体保持部に係合し、供給コア収納体が供給コア収納体保持部に保持された際に、供給コア収納体保持部内での収納ケースの回転が規制されることを特徴とする熱転写シート体と熱転写シート体用カセットとの組合せ体である。
【００２４】
本発明は、押圧部材と供給コア収納体保持部との間、および押圧部材と巻取コア保持部との間にトーションバネが設けられていることを特徴とする熱転写シート体と熱転写シート体用カセットとの組合せ体である。
【発明の効果】
【００２５】
本発明によれば、熱転写シートを傷つけてしまうことなく熱転写シートを収納する供給コア収納体および熱転写シート体を取り扱うことができる。また、熱転写シートを熱転写シート体用カセットに容易に収納すること、および熱転写シート体用カセットから容易に取り外すこともできる。これにより、ユーザーの負担を増大させることなく、一回あたりの熱転写シートの交換費用を低減することができる。また、有効に資源の再利用を行い資源を節約することができ、資源節約による自然環境保護の観点からも好ましい。
【発明を実施するための最良の形態】
【００２６】
以下、図面を参照して本発明の実施の形態について説明する。  
図１乃至図１１は本発明による供給コア収納体、熱転写シート体、および熱転写シート体と熱転写シート体用カセットとの組合せ体の一実施の形態を示す図である。
【００２７】
このうち図１は組合せ体１を示す斜視図であり、図２は組合せ体１を示す平面図であり、図３は組合せ体１を示す側面図であり、図４は図２のＩＶ−ＩＶ線に沿った断面図であり、図５は図２のＶ−Ｖ線に沿った断面図であり、図６は図２のＶＩ−ＶＩ線に沿った断面図である。
【００２８】
図１乃至図６に示すように、熱転写シート体２と熱転写シート体用カセット４０とを備えた組合せ体１において、熱転写シート体２は、熱転写印刷に用いられる熱転写シート５と熱転写シート５を巻き取る供給コア１１と供給コア１１を回転自在に保持して収納する収納ケース３０とを有する供給コア収納体１０と、供給コア収納体１０から繰り出される熱転写シート５を巻き取る巻取コア２１と、を備え、供給コア収納体１０の収納ケース３０は、供給コア１１の回転軸方向に沿って延び供給コア１１に巻き取られた熱転写シート５を繰り出すためのスリット３３を有している。
【００２９】
一方、熱転写シート体用カセット４０は、供給コア収納体１０を保持する供給コア収納体保持部５１と、巻取コア２１を回転自在に保持する巻取コア保持部６１と、これら供給コア収納体保持部５１と巻取コア保持部６１とを連結する連結部４８とを有し、供給コア収納体保持部５１は、供給コア収納体１０の一側端部を受ける開口５３ｂを有し外方に反ることができる支持板５３と、支持板５３の外方に揺動自在に設けられ供給コア１１の一側端部１４を一側から他側に向けて押圧する押圧部材５５とを有し、巻取コア保持部６１は、巻取コア２１の一側端部２４を受ける開口６３ｂを有し外方に反ることができる支持板６３と、支持板６３の外方に揺動自在に設けられ巻取コア２１の一側端部２４を一側から他側に向けて押圧する押圧部材６５とを有している。
【００３０】
このような、組合せ体１はプリンタ内に組み込まれる。そして、図１０に示すように、供給コア収納体保持部５１に保持された供給コア収納体１０から巻取コア保持部６１に保持された巻取コア２１に向けて熱転写シート５が繰り出される間、熱転写シート５はプリンタのサーマルヘッド５ａに加熱され、受像シート５ｂに画像が転写されるようになっている。なお、図１０は組合せ体１の使用方法を説明する概略図である。
【００３１】
まず、特に図２乃至図５により熱転写シート体２についてさらに詳述する。  
最初に、熱転写シート体２の供給コア収納体１０について説明する。
【００３２】
供給コア収納体１０は、上述したように、熱転写シート５と、供給コア１１と、収納ケース３０とを有している。
【００３３】
このうち熱転写シート５は、一方の端部を供給コア１１に固定されるとともに供給コア１１に巻き取られ、他方の端部を巻取コア２１に固定される。熱転写シート５は収納ケース３０に収納された供給コア１１から繰り出されて巻取コア１１に巻取られ、この間熱転写シート５はプリンタのサーマルヘッド５ａにより加熱されることにより、受像シート５ｂに画像が転写されるようになっている（図１０）。このような熱転写シート５は、例えば、ポリエチレンテレフタラートからなる基材シート上に膜厚０．４〜１μｍ程度のインクを塗布して構成される。
【００３４】
次に、図９により供給コア１１について説明する。なお、図９は熱転写シートを巻き付けていない供給コア１１を示す平面図である。
【００３５】
図９に示すように、供給コア１１は熱転写シート５を巻き付ける円柱状または円筒状の巻き付け部１１ａと、巻き付け部１１ａの一側（図９における左側）に設けられた一側フランジ１２と、一側フランジ１２の外方（供給コア１１の端部側）に延びる円柱状の一側端部１４とを有している。また、供給コア１１は、同様に、巻き付け部１１ａの他側（図９における右側）に他側フランジ１３と、円筒状の他側端部１５とを有している。他側フランジ１３の外方の面には、多数の溝を有する係合部１３ａが設けられている。
【００３６】
次に、主に図８により、収納ケース３０について説明する。なお、図８は収納ケース３０を、熱転写シート５を巻き付けていない供給コア１１とともに示す分解斜視図である。
【００３７】
図８に示すように、本実施の形態において、収納ケース３０はケース本体３６とケース本体３６に装着されるケース蓋体３８とを有している。このようなケース蓋体３８は、ケース蓋体３８に設けられた嵌合突起３８ａをケース本体３６に設けられた嵌合穴３６ａに嵌め込むことにより、ケース本体３６に装着固定するようになっている。この場合、当然に、接着剤等を用いてケース蓋体３８をケース本体３６に強固に固定するようにしてよもよい。
【００３８】
なお、ケース蓋体３８がケース本体３６に装着された場合、ケース本体３６の縁部とケース蓋体３８の縁部とによって上述したスリット３３が形成される（図１および図２）。
【００３９】
図５および図８に示すように、収納ケース３０は供給コア１１の一側端部１４を受ける開口軸受３１を一側の端面３０ａに有し、供給コア１１の他側端部１５を受ける開口軸受３２を他側の端面３０ｂに有している。この一側開口軸受３１および他側開口軸受３２により、供給コア１１は収納ケース３０に回転自在に保持される（特に図５）。
【００４０】
なお、収納ケース３０の一側端面３０ａはケース本体３６の一側の端面により構成されている（特に図８）。一側開口軸受３１は一側端面３０ａに設けられた円形状の開口からなり、図５および図８に示されるように、一側開口軸受３１の上部は一側端面３０ａから外方に突出している。
【００４１】
一方、収納ケース３０の他側端面３０ｂはケース本体３６の他側の端面と、ケース蓋体３８の他側端面とにより構成されている（特に図６）。同様に、他側開口軸受３２は他側端面３０ｂに設けられた、ケース本体３６の半円弧状突部３２ａとケース蓋体３８の半円弧状突部３２ｂとから構成される円形状の開口からなる。図５および図８に示されるように、他側開口軸受３１は他側端面３０ｂから円周状に外方に突出している。
【００４２】
また、供給コア１１の他側フランジ１３に対面する他側開口軸受３２の内側端面には、供給コア１１の他側フランジ１３に設けられた係合部１３ａの溝に係合する突部からなる（図示せず）が設けられている。すなわち、供給コア１１の他側フランジ１３が収納ケース３０の他側端面３０ｂに当接している場合、供給コア１１の係合部１８ａと収納ケース３０の係合部とが係合することにより、供給コア１１の回転が規制される。
【００４３】
ところで、収納ケース３０の一対の開口軸受３１，３２の内側端面間距離は、供給コア１１の一対のフランジ１２，１３の外側端面間距離よりも長くなっている。したがって、収納ケース３０は供給コア１１を回転自在であるとともに、回転軸方向に沿って移動自在に保持する。
【００４４】
次に、本実施の形態において供給コア収納体１０とともに熱転写シート体２を構成する巻取コア２１について説明する。
【００４５】
本実施の形態において、巻取コア２１は供給コア１１と同一形状からなっている。すなわち、図９に示すように、巻取コア２１は巻き付け部２１ａと、一側端部２４と、一側フランジ２２と、他側端部２５と、他側フランジ２３と、を有している。また、他側フランジ２３の外方の面には、多数の溝を有する係合部２３ａが設けられている。
【００４６】
次に、図１乃至図７および図１１により、熱転写シート体２を収納する熱転写シート体用カセット４０についてさらに詳述する。
【００４７】
熱転写シート体用カセット４０は、上述したように、供給コア収納体保持部５１と、巻取コア保持部６１と、これら供給コア収納体保持部５１と巻取コア保持部６１と一側（図１における左上側）端部近傍および他側（図１における右下側）端部近傍において連結する一対の連結部４８とを有し、供給コア収納体保持部５１および巻取コア保持部は支持板５３，６３と押圧部材５５，６５とをそれぞれ有している。
【００４８】
また、図１乃至図５に示すように、熱転写シート体用カセット４０は、供給コア収納体保持部５１から巻取コア保持部６１まで延び、外方に揺動自在な端壁４１を有している。この端壁４１は、図４および図５に示すように、供給コア収納体保持部５１の支持板５３と巻取コア保持部６１の支持板６３とにそれぞれ係合する一対の係合板４２ａ，４２ｂを有している。  
このうち、まず、供給コア収納体保持部５１について説明する。
【００４９】
特に図５に示すように、供給コア収納体保持部５１は一側（図５において左側）端部近傍に、可撓性材料からなる支持板５３を有している。特に図５および図７に示すように、支持板５３は供給コア収納体保持部５１から上方に延び出ており、途中から外方（図５において右側）に傾斜して延びている。
【００５０】
この上方に延び出ている部分に、上述した、供給コア収納体１０の一側端部を受けて供給コア収納体１０の上方への移動を規制する規制開口５３ｂが設けられている。なお、本実施の形態における供給コア収納体１０の一側端部とは、図５に示すように、収納ケース３０の一側端面３０ａから突出した一側開口軸受３１をいう。ただし、特に限定されるものではなく、例えば、支持板５３の規制開口５３ｂが供給コア１１の一側端部１４を受けるように変形することも当然可能である。
【００５１】
図５に示すように、供給コア収納体１０が供給コア収納体保持部５１に収納保持された際に、支持板５３の規制開口５３ｂは収納ケース３０の一側開口軸受３１に上方から当接し、供給コア収納体１０の上方への移動が規制される。
【００５２】
また、図５および図７に示すように、支持板５３の外方に傾斜した部分には、端壁４１から垂下する係合板４２ａに係合する係合開口５３ａが設けられている。図７に示すように、この端壁４１の係合板４２ａと支持板５３の係合開口５３ａとが係合することにより、端壁４１が揺動した場合、支持板５３が端壁４１の揺動に追従して外方に反る。また、この支持板５３は板バネとして機能し、図７に示す状態においては、支持板５３内に図５に示す状態に戻ろうとする復元力が生じている。
【００５３】
図５および図７に示すように、供給コア収納体保持部５１の支持板５３の外方（図５および図７における右側）に、押圧部材５５が下端を軸として揺動自在に設けられている。押圧部材５５と供給コア収納体保持部５１との間にトーションバネ５６が設けられており、このトーションバネ５６により、押圧部材５５は支持板５３側へ付勢されている。また、押圧部材５５の支持板５３側の面に先細突起状の当接部５５ａが設けられている。この当接部５５ａを介し、押圧部材５５は収納ケース３０の一側開口軸受３１内の供給コア１１の一側端部１４を一側から他側に向けて（図５において右側から左側に向けて）押圧する。
【００５４】
なお、供給コア収納体１０が供給コア収納体保持部５１に収納されていない場合、押圧部材５５は支持板５３を他側に向けて押圧する。ただし、トーションバネ５６の弾発力を原動力とする押圧部材５５の押圧力は、板バネとして機能する支持板５３の復元力より小さくなっており、外力が加えられていない場合、支持板５３が押圧部材５５の押圧力により内方に反ることはない。
【００５５】
ところで、供給コア収納体保持部５１の他側（図５の左側）端部には、供給コア収納体保持部５１から上方に延びる他側端面５７が設けられている。特に図１に示すように、この他側端面５７には、収納ケース３０の他側端面３０ｂから突出する他側開口軸受３２を受ける円形状の開口受部５４が設けられている。
【００５６】
この開口受部５４と支持板５３との内側端面間距離は、収納ケース３０の一側端面３０ａと他側端面３０ｂとの外側端面間距離に略等しくなっており、これにより、供給コア収納体保持部５１内に収納保持された供給コア収納体１０はその長手方向（図５における左右方向）に沿った移動を規制される。
【００５７】
また、図６に示すように、収納ケース３０の中間部と供給コア収納体保持部５１の中間部とは互いに係合する形状となっている。これにより、供給コア収納体１０が供給コア収納体保持部５１に保持された際に、供給コア収納体保持部５１内での収納ケース３０の回転が規制される。
【００５８】
次に、巻取コア保持部６１について説明する。  
特に図１および図４に示すように、巻取コア保持部６１は一側（図４において右側）端部近傍に、上方に解放した解放軸受６２を有している。この解放軸受６２は巻取コア２１の一側端部２４を回転自在に下方から支持するとともに横方向への移動を規制する。
【００５９】
また、特に図４に示すように、解放軸受６２の外方に可撓性材料からなる支持板５３を有している。支持板６３は、供給コア収納体保持部５１の支持板５３と同様に、巻取コア保持部６１から上方に延び出ており、途中から外方（図４において右側）に傾斜して延びている。
【００６０】
この上方に延び出ている部分に、上述した巻取コア２１の一側端部２４を受ける規制開口６３ｂが設けられている。図４に示すように、巻取コア２１が巻取コア保持部６１に収納された際に、支持板６３の規制開口６３ｂは巻取コア２１の一側端部２４に上方から当接し、巻取コア２１の上方への移動が規制される。
【００６１】
すなわち、巻取コア２１の一側端部２４は、解放軸受６２と支持板６３の規制開口６３ｂとによって、回転自在に保持される。
【００６２】
また、図４に示すように、支持板６３の外方に傾斜した部分には、端壁４１から垂下する係合板４２ｂに係合する係合開口６３ａが設けられている。図７に示す供給コア収納体保持部５１の支持板５３と同様に、この端壁４１の係合板４２ａと支持板６３の係合開口６３ａとが係合することにより、端壁４１が揺動した場合、支持板６３が端壁４１の揺動に追従して外方に反る。また、この支持板６３は板バネとして機能し、図７に示すように端壁４１を揺動させて支持板６３を反らすと、支持板６３内に図４に示す状態に戻ろうとする復元力が生じる。
【００６３】
図４に示すように、巻取コア体保持部６１の支持板６３の外方（図４における右側）に、押圧部材６５が下端を軸として揺動自在に設けられている。押圧部材６５と巻取コア保持部６１との間にトーションバネ６６が設けられており、このトーションバネ６６により、押圧部材６５は支持板６３側へ付勢されている。これにより、押圧部材６５は、支持板６３の規制開口６３ｂより突出した巻取コア２１の一側端部２４を一側から他側に向けて（図４において右側から左側に向けて）押圧する。
【００６４】
なお、巻取コア２１が巻取コア保持部６１に収納されていない場合、押圧部材６５は支持板６３を他側に向けて押圧する。ただし、トーションバネ６６の弾発力を原動力とする押圧部材６５の押圧力は、板バネとして機能する支持板６３の復元力より小さくなっており、外力が加えられていない場合、支持板６３が押圧部材６５の押圧力により内方に反ることはない。
【００６５】
またさらに、巻取コア保持部６１の他側（図４の左側）端部には、巻取コア保持部６１から上方に延びる他側端面６７が設けられている。特に図１に示すように、この他側端面６７には、巻取コア２１の他側端部２５を回転自在に受ける円形状の開口軸受６４が設けられている。
【００６６】
したがって、巻取コア２１の他側端部２５は、開口軸受６４によって、回転自在に保持される。ただし、巻取コア２１の他側フランジ２３に対面する開口軸受６４の内側端面には、巻取コア２１の他側フランジ２３に設けられた係合部の溝に係合する突部からなる係合部（図示せず）が設けられている。すなわち、巻取コア２１の他側フランジ２３が巻取コア保持部６１の他側端面６７に当接している場合、巻取コア２１の係合部２３ａと巻取コア保持部６１の開口軸受６４の係合部とが係合することにより、巻取コア２１の回転が規制される。
【００６７】
このような開口軸受６４と上述した解放軸受６２との内側端面間距離は、巻取コア２１の一対のフランジ２２，２３の外側端面間距離よりも長くなっている。したがって、巻取コア保持部６１は巻取コア２１を回転自在であるとともに、回転軸方向に沿って移動自在に保持する。
【００６８】
ところで、図１および図２に示すように、巻取コア保持部６１に、熱転写シート５に当接してこの熱転写シート５を案内する（図１０）ロッド７１が設けられている。図１１（ａ）に示すように、このロッド７１は直径の細くなった両端部７１ａ，７１ｂを有し、巻取コア保持部６１に設けられた一側のロッド軸受７５と他側のロッド軸受７６とによって回転自在に支持されている。このうち一側ロッド軸受７５はロッド７１の端部７１ａの長さよりも短くなっており、ロッド７１の一側の端部７１ａを受けるロッド受貫通穴７５ａを有している。一方、他側ロッド軸受７６は、内方（ロッド７１側）に向けて解放し、ロッド７１の他側の端部７１ｂを受けるロッド受穴７６ａを有している。
【００６９】
すなわち、ロッド７１は一側ロッド軸受７５のロッド受貫通穴７５ａと、他側ロッド軸受７６のロッド受穴７６ａとによって回転自在に保持される。
【００７０】
また、一側ロッド軸受７５の外方（図１１（ａ）における左側）に隣接してストッパー７３が設けられている。このストッパー７３は巻取コア保持部６１に揺動自在に取り付けられており、図１１（ａ）に示すような一側ロッド軸受７５のロッド受貫通穴７５ａを外方から塞ぐ閉鎖位置と、図１１（ｂ），（ｃ）に示すようなロッド受貫通穴７５ａを解放する解放位置との間を揺動する。また、ストッパー７３は、図１１（ａ）に示すような一側ロッド軸受７５のロッド受貫通穴７５ａを外方から塞ぐ閉鎖位置に固定自在となっている。
【００７１】
なお、一側ロッド軸受７５のストッパー７３への隣接面から、他側ロッド軸受７６のロッド受穴７６ａの穴底までの距離は、離間間隔はロッド７１の長さと略同一となっている。したがって、ストッパー７３が解放位置にある場合、ロッド７１は他側から一側へ向けて（図１１において右側から左側へ向けて）移動自在であり、ロッド７１が移動すると、ロッド７１の他側端部７１ｂは他側ロッド軸受７６のロッド受穴７６ａから抜ける（図１１（ｂ），（ｃ））。
【００７２】
次に、端壁４１についてさらに説明する。  
また、上述したように、熱転写シート体用カセット４０は、供給コア収納体保持部５１から巻取コア保持部６１まで延びる端壁４１を有している。この端壁４１は、供給コア収納体保持部５１の一側端部領域に設けられた支持軸５８と、巻取コア保持部６１の一側端部領域に設けられた支持軸６８とに、それぞれ係合する受け溝４３ａ，４３ｂを有している（特に図３乃至図５）。この受け溝４３ａ，４３ｂ内に支持軸５８，６８を嵌め込むことにより一対のヒンジが形成される。図３に示すように、この一対のヒンジは熱転写シート体用カセット４０の一側からの側面視において一直線Ｌ上に揃っている。したがって、支持軸５８，６８と受け溝４３ａ，４３ｂとによって形成される一対のヒンジを軸として、端壁４１は供給コア収納体保持部５１と巻取コア保持部６１とに揺動自在に連結される。
【００７３】
上述したように、端壁４１は、供給コア収納体保持部５１および巻取コア保持部６１の各支持板５３，６３の係合開口５３ａ，６３ａ内にそれぞれ挿入される、一対の係合板４２ａ，４２ｂを有している。このため、図７に示すように、端壁４１が揺動されると、係合板４２ａ，４２ｂと係合開口５３ａ，６３ａとの係合を介して、支持板５３，６３が反る。この場合、上述したように支持板５３，６３は板バネとして機能し、図４および図５に示す位置に戻ろうとする復元力が生じる。したがって、端壁４１を揺動させようとする外力を排除すると、支持板５３，６３および端壁４１は図４および図５に示す位置に自動的に戻る。
【００７４】
次にこのような構成からなる本実施の形態の作用について説明する。  
まず、供給コア収納体１０と巻取コア２１とからなる熱転写シート体２を用意する。この場合、製造工場等において、帯状に延びる熱転写シート５の一方の端部を供給コア１１に固定するとともに供給コア１１に巻き取る。次に、熱転写シート５を巻き取った供給コア１１の一側端部１４を収納ケース３０のケース本体３６に形成された一側開口軸受３１に挿入し、そして、供給コア１１の他側端部１４をケース本体３６の半円弧状突部３２ａ上に配置する（図８に示す状態）。その後、ケース本体３６の嵌合穴３６ａにケース蓋体３８の嵌合突起３８ａを嵌め込んで、ケース本体３６にケース蓋体３８を装着する。
【００７５】
なお、この場合、熱転写シート５の他方の端部領域が収納ケース３０のスリット３３を介して収納ケース３０外部に出るようにする。このようにして供給コア収納体１０が準備される。
【００７６】
その後、収納ケース３０からスリット３３を介して外部に現れた熱転写シート５の他方の端部を巻取コア２１に固定することにより熱転写シート体２が準備される。
【００７７】
このような熱転写シート体２の熱転写シート５は供給コア収納体１０内に収納されている。したがって、外部から熱転写シート５を傷つけてしまうことを防止することができる。
【００７８】
また、供給コア収納体１０内での供給コア１１の回転を規制することにより、熱転写シート体２の取り扱い中に熱転写シートの巻きが弛んでしまい、熱転写シート５を傷つけてしまうことを防止することができる。この場合、例えば、巻取コア２１を輪状のゴムまたはテープ等により供給コア収納体２に仮固定したり、あるいは、このように巻取コア２１を仮固定した熱転写シート体２をさらに包装紙に収納したりする等、簡易に包装するだけで熱転写シート体２を流通過程に載せることができる。
【００７９】
なお、供給コア収納体１０内で供給コア１１の回転を規制する方法としては、供給コア１１を一側から他側に向けて押圧することができる、例えば、キャップのようなものを収納ケース１０の一側端面３０ａから突出する一側開口軸受３１に固定すること等が考えられる。これにより、供給コア１１は収納ケース３０内で他側端面３０ｂに当接され、供給コア１１の他側フランジ１３に設けられた係合部１３ｂと収納ケース３０の他側開口軸受３２に設けられた図示しない係合部とが係合し、供給コア１１の回転が規制される。
【００８０】
次に、このような熱転写シート体２を熱転写シート体用カセット４０に収納する方法について説明する。
【００８１】
まず、熱転写シート体用カセット４０の巻取コア保持部６１に配置されたロッド７１を取り外す。
【００８２】
この場合、まず、図１０（ａ）に示す状態から、一側ロッド軸受７５のロッド受貫通穴７５ａが解放される解放位置までロッド７１を巻取コア保持部６１に対して揺動させる。次に、図１０（ｂ）に示すように、ロッド７１の一側端部７１ａが一側ロッド軸受７５の一側に突出するよう、他側から一側に向けて（図１０の右側から左側）移動させる。これにより、ロッド７１の他側端部７１ｂが他側ロッド軸受７６のロッド受穴７６ａから抜け出る。その後、図１０（ｃ）に示すように、ロッド７１の他側端部７１ｂを持ち上げるとともに、ロッド７１の一側端部７１ａも一側ロッド軸受７５のロッド受貫通穴７５ａから抜け出るようにロッド７１を引き抜く。このようにして、ロッド７１を巻取コア保持部６１から取り外すことができる。
【００８３】
次に、供給コア収納体１０を供給コア収納体保持部５１に装着保持させ、巻取コア２１を巻取コア収納部６１に収納保持させる。
【００８４】
この場合、まず、供給コア収納体１０の収納ケース３０の他側端面３０ｂから突出した他側開口軸受３２を、供給コア収納体保持部５１の他側端面５７に設けられた開口受部５４に挿入するとともに、供給コア収納体１０を供給コア収納体保持部５１に沿わした状態で供給コア収納体保持部５１の上方に配置する。その一方で、巻取コア２１の他側端部２５を、巻取コア保持部６１の他側端面６７に設けられた開口軸受６４に挿入するとともに、巻取コア２１を巻取コア保持部６１に沿わした状態で巻取コア保持部６１の上方に配置する。
【００８５】
その後、端壁４１を供給コア収納体保持部５１と巻取コア保持部６１とに対して外方に揺動させる。このとき、端壁４１の係合板４２ａ，４２ｂは、供給コア収納体保持部５１および巻取コア保持部６１の各支持板５３，６３の係合開口５３ａ，６３ａ内に挿入されている。したがって、端壁４１の外方への揺動に伴って各支持板５３，６３も外方に反り返る（図７）。
【００８６】
これにより、供給コア収納体１０を受けて保持している供給コア収納体保持部５１の他側端面５７の開口受部５４から支持板５３の規制開口５３ｂまでの距離が長くなり（図７）、同時に、巻取コア２１を受けて保持している巻取コア保持部６１の他側端面６７の開口軸受６４から支持板６３の規制開口６３ｂまでの距離が長くなる。このため、供給コア収納体１０が供給コア収納体保持部５１に収納され、同時に、巻取コア２１が巻取コア保持部６１にそれぞれ収納される。
【００８７】
このとき、供給コア収納体１０の収納ケース３０は供給コア収納体保持部５１の内面形状に対応して係合する外形状を有している（図６）ので、供給コア収納体１０の横方向（図５における紙面の奥行き方向）へのずれは規制される。また、巻取コア２１は一側端部２４が上方に解放した解放軸受６２に受けられ、巻取コア２１の横方向（図４における紙面の奥行き方向）へのずれは規制される。このため、作業者は一方の手で熱転写シート体用カセット４０の中央部を保持し、他方の手で端壁４１を把持して揺動させるだけでよく、作業中に供給コア収納体１０あるいは巻取コア２１を供給コア収納体保持部５１あるいは巻取コア保持部６１内で位置調整等する必要はない。
【００８８】
その後、端壁４１から手を離す。すると、反り返った各支持板５３，６３は板バネとして機能し、外力が排除されると同時に各支持板５３，６３は係合連結された端壁４１とともに図４および図５に示す位置に戻る。
【００８９】
これにより、供給コア収納体保持部５１の支持板５３の規制開口５３ｂ内に、（本実施の形態における供給コア収納体１０の一側端部として）供給コア収納体１０の収納ケース３０の一側端面３０ａから突出する一側開口軸受３１が入り込み（図５）、供給コア収納体１０は供給コア収納体保持部５１に装着保持される。同時に、巻取コア保持部６１の支持板６３の規制開口６３ｂ内に、巻取コア２１の一側端部２４が入り込み（図４）、巻取コア２１は巻取コア保持部６１に回転自在に装着保持される。
【００９０】
このとき、供給コア収納体１０は他側において供給コア収納体保持部５１の開口受部５４により周状に支持され、一側において供給コア収納体保持部５１により下方および横方から支持されるとともに支持板５３の規制開口５３ｂにより上方から支持される。また、供給コア収納体１０は供給コア収納体保持部５１の支持板５３と他側端面５７との間で挟持される状態となるので、供給コア収納体保持部５１内における供給コア収納体１０の長手方向への移動が規制される。さらに、収納ケース３０の形状と供給コア収納体保持体５１の形状とが対応しており係合することから（図６）、供給コア収納体保持体５１内における供給コア収納体１０の回転も規制される。これらにより、供給コア収納体１０は供給コア収納体保持体５１内でがたつくことなく確実に固定された状態となっている。
【００９１】
一方、巻取コア２１は他側において巻取コア保持部６１の開口軸受６４により周状に支持され、一側において解放軸受６２により下方および横方から支持されるとともに支持板６３の規制開口６３ｂにより上方から支持される。このため、巻取コア２１はがたつくことなくスムースに回転することができるようになっている。
【００９２】
ところで、供給コア収納体１０が供給コア収納体保持部５１に保持されると、供給コア収納体保持部５１の押圧部材５５の当接部５５ａが、支持板５３の規制開口５３ｂから突出する収納ケース３０の一側開口軸受３１内に配置された供給コア１１の一側端部１４に当接する。そして、トーションバネ５６の弾発力により、押圧部材５５の当接部５５ａは供給コア１１を収納ケース３０内において一側から他側へ向けて押圧し、供給コア１１の他側フランジ１３が収納ケース３０の他側開口軸受３２に当接する。この場合、供給コア１１の他側フランジ１３に設けられた係合部１３ｂと収納ケース３０の他側開口軸受３２に設けられた係合部（図示せず）とが係合し、収納ケース３０内における供給コア１１の回転が規制される。これにより、供給コア１１に巻き取られた熱転写シート５の巻き弛みを防止することができる。
【００９３】
一方、巻取コア２１が巻取コア保持部６１に保持されると、巻取コア保持部６１の押圧部材６５が、支持板６３の規制開口６３ｂから突出する巻取コア２１の一側端部２４に当接する。そして、トーションバネ６６の弾発力により、押圧部材５５は巻取コア２１を一側から他側へ向けて押圧し、巻取コア２１の他側フランジ２３が巻取コア保持部６１の開口軸受６４に当接する。この場合、巻取コア２１の他側フランジ２３に設けられた係合部２３ｂと巻取コア保持部６１の開口軸受６４に設けられた係合部（図示せず）とが係合し、巻取コア保持部６１内における巻取コア２１の回転が規制される。
【００９４】
次に、図１０に示すように、供給コア収納体１０から巻取コア２１へと延びる熱転写シート５が巻取コア保持部６１とロッド７１との間に配置されるように、熱転写シート５の上方からロッド７１を巻取コア保持部６１に取り付ける。なお、ロッド７１の巻取コア保持部６１への取り付け方法は、上述したロッド７１の巻取コア保持部６１からの取り外し方法の逆手順で行われ得る。
【００９５】
以上のように、ロッド７１を取り外した後、熱転写シート体２を熱転写シート体用カセット４０に装着し、再度ロッド７１を取り付けることにより、熱転写シート体２の熱転写シート対用カセット４０への収納が完了する。この際、熱転写シート体２の熱転写シート対用カセット４０への装着は、熱転写シート体２の他側端部を位置決めし、その後、熱転写シート対用カセット４０の端壁４１を揺動させることのみによって行うことができる。
【００９６】
このように、熱転写シート体２の収納作業は非常に単純かつ容易、その上迅速に行うことができる。また、この作業中、熱転写シート５は通常印刷用に用いられない端部領域が露出しているだけであり、その他の部分は収納ケース３０内に収納されている。したがって、熱転写シート体２の熱転写シート体用カセット４０への収納装着作業中に熱転写シート２を傷つけてしまうことを防止することができる。
【００９７】
さらに、このような単純かつ容易な作業にもかかわらず、熱転写シート体２の供給コア収納体１０は熱転写シート体用カセット４０の供給コア収納体保持部５１へ強固かつ確実に保持され、熱転写シート体２の巻取コア２１は熱転写シート対用カセット４０の巻取コア保持部６１へ回転自在に確実に保持される。
【００９８】
このようにして得られた、熱転写シート体２と熱転写シート体用カセット４０との組合せ体１は、その後、プリンタ内に組み込まれる。
【００９９】
プリンタ内において供給コア収納体１０から巻取コア２１へ熱転写シート５を繰り出す場合、供給コア収納体保持部５１の開口受部５４および巻取コア保持部６１の開口軸受６４から図示しない駆動機構が挿入される。この駆動機構により各トーションバネ５６，６６の弾発力に抗して供給コア１１および巻取コア２１は他側（図１における右下側）から一側（図１における左上側）へ移動されるとともに回転駆動される。
【０１００】
この場合、ロッド７１の両端部７１ａ，７１ｂは一側のロッド軸受７５のロッド受貫通穴７５ａと他側のロッド軸受７６のロッド受穴７６ａとによって確実に保持されている。また、ロッド７１は熱転写シート５に対して、サーマルヘッド５ｂと反対側に配置されている（図１０）。したがって、熱転写シート５をサーマルヘッド５ｂが押圧した場合においても、ロッド７１が巻取コア保持部６１から外れてしまうことなく、回転自在なロッド７１により熱転写シート５をスムースに案内することができる。
【０１０１】
また、熱転写シート５の繰り出しを停止する場合、供給コア収納体保持部５１の開口受部５４および巻取コア保持部６１の開口軸受６４から駆動機構が離れる。この場合、各トーションバネ５６，６６の弾発力により各押圧部材５５，６５が供給コア１１および巻取コア２１をそれぞれ押圧して、一側から他側へ移動させる。これにより、上述したように供給コア１１および巻取コア２１の回転が規制され、熱転写シート５の巻き弛みを防止することができる。
【０１０２】
また、熱転写シート５を使い切った場合、熱転写シート体２を熱転写シート体用カセット４０から取り外し、新たな熱転写シート体２を熱転写シート体用カセット４０に上述した方法で収納装着する。
【０１０３】
なお、熱転写シート体用カセット４０から熱転写シート体２を取り外す方法は、上述した収納方法の逆手順で行われる。すなわち、まず、ロッド７１を取り外し、次に、熱転写シート体２を熱転写シート対用カセット４０から取り外すことにより完了する。この際、熱転写シート体２の熱転写シート体用カセット４０からの取り外しは、熱転写シート体用カセット４０の端壁４１を揺動させるとともに、熱転写シート体２を持ち上げることにより、あるいは、端壁４１を揺動させた状態で、熱転写シート体用カセット４０を逆さまにして重力によって熱転写シート体２を落下させることにより行うことができる。
【０１０４】
このように、熱転写シート体２の取り外し作業も非常に単純かつ容易に行うことができることから、熱転写シート体２の交換作業を単純かつ容易に、その上迅速に行うことができる。
【０１０５】
以上のように本実施の形態によれば、ロッド７１を巻取コア保持部６１から取り外し、熱転写シート体２の供給コア収納体１０および巻取コア２１を熱転写シート体用カセット４０の供給コア収納体保持部５１および巻取コア保持部にそれぞれ装着保持させ、再度ロッド７１を取り付けることにより、熱転写シート体２の熱転写シート体用カセット４０への収納が完了する。
【０１０６】
この場合、供給コア収納体１０の供給コア収納体保持部５１への装着は、収納ケース３０の他側開口軸受３２を供給コア収納体保持部５１の開口受部５４に挿入した状態で、熱転写シート体用カセット４０の端壁４１を揺動させることにより完了する。同様に、巻取コア２１の巻取コア保持部６１への装着は、巻取コア２１の他側端部２５を巻取コア保持部６１の開口軸受６４に挿入した状態で、熱転写シート体用カセット４０の端壁４１を揺動させることにより完了する。
【０１０７】
このように単純かつ容易な作業により、熱転写シート体２を熱転写シート体用カセット４０へ収納することができ、作業時間も短時間で済む。また、このような単純かつ容易な作業により短時間で収納装着される熱転写シート体２は、熱転写シート体用カセット４０内でがたつくことなく確実に保持される。
【０１０８】
また、熱転写シート体２の熱転写シート５は、印刷用に用いられない端部領域を除き、収納ケース３０内に収納され、保護されている。このため、熱転写シート体用カセット４０に収納する際を含む、すべての熱転写シート体２の取扱中において、作業者が熱転写シート５に触れることにより（印刷に用いられる）熱転写シート５を傷つけてしまうことを防止することができる。
【０１０９】
さらに、熱転写シート体２の供給コア収納体１０および巻取コア２１は、熱転写シート体用カセット４０の端壁４１を揺動させることにより、熱転写シート体用カセット４０に別々に装着されるのではなく同時に装着される。このため、供給コア１１および巻取コア２１へ固定されて巻き付けられるとともに供給コア１１および巻取コア２１の間を連結する熱転写シート５を傷つけることなく、熱転写シート体用カセット４０に収納装着することができる。また、熱転写シート体２の供給コア１１および巻取コア２１を熱転写シート体用カセット４０へ別々に装着する場合に比べて、同時に収納装着することにより、収納装着作業に要する作業時間を短縮することができる。
【０１１０】
さらにまた、上述したように、熱転写シート体２の熱転写シート５は収納ケース３０内に収納されているため、熱転写シート体２の取扱中に熱転写シート５を傷つけてしまうことがなく、また、熱転写シート体５の熱転写シート体用カセット４０への収納および取り外しが容易である。したがって、熱転写シート体２として出荷および流通させ、一般ユーザーによって組合せ体１の熱転写シート体２を交換するようにすることも可能である。これにより、熱転写シート体用カセット４０を使い捨てとせず再利用することができ、資源を節約することができる。また、一回あたりの熱転写シート５の交換費用を削減することができる。なお、この場合、熱転写シート５が巻取コア２１に連結されていない状態、すなわち、供給コア収納体１０と、供給コア収納体１０に連結されていない別体の巻取コア２１とからなる熱転写シート体２として流通させてもよい。
【０１１１】
なお、組合せ体１ではなく熱転写シート体２として流通させる場合には、熱転写シート５が収納ケース３０内で巻き弛みすることのないように、収納ケース３０内で供給コア１１の回転を規制するようにすることが好ましい。熱転写シート５の巻き弛みより、熱転写シート５を傷つけてしまうことを防止するためである。
【０１１２】
このような方法としては、例えば、供給コア１１を一側から他側に向けて押圧することができるキャップのようなものを、収納ケース１０の一側端面３０ａから突出する一側開口軸受３１に固定すること等が考えられる。この場合、供給コア１１は収納ケース３０内で他側開口軸受３２に当接され、供給コア１１の他側フランジ１３に設けられた係合部１３ｂと収納ケース３０の他側開口軸受３２に設けられた図示しない係合部とが係合し、供給コア１１の回転が規制される。これにより、巻取コア２１を輪状のゴムまたはテープ等により供給コア収納体２に仮固定したり、あるいは、巻取コア２１を仮固定した熱転写シート体２をさらに包装紙に収納したりする等、簡易に包装するだけで熱転写シート体２を流通過程に載せることができる。
【０１１３】
なお、本実施の形態において、熱転写シート５を熱転写シート体２として取り扱う例を示してきたが、これに限られず、供給コア収納体１０として取り扱うようにしてもよい。すわわち、供給コア収納体１０として出荷および流通させ、供給コア収納体１０のみを使い捨てにし、巻取コア２１を熱転写シート体用カセット４０とともに再利用させるようにすることも可能である。このようにすることにより、資源をさらに節約することができるとともに、一回あたりの熱転写シート５の交換費用をさらに削減することができる。
【０１１４】
この場合、供給コア収納体１０の取り替え時に、都度、熱転写シート５の端部を巻取コアに固定（連結）して、供給コア収納体１０と巻取コアとを備えた熱転写シート体２を形成しなければならない。熱転写シート体２を形成した後は上述した実施の形態と同様に取り扱うことができる。
【０１１５】
なお、熱転写シート５端部の巻取コア２１への固定（連結）は、供給コア収納体１０を熱転写シート体用カセット４０の供給コア収納体保持部５１に装着した後に行うようにしてもよい。このようにした場合、熱転写シート５の端部を、上述した巻取コア保持部６１とロッド７１との間を通過させて、巻取コア２１へ固定（連結）することができ、ロッド７１を巻取コア保持部６１から都度取り外す手間を省くことができる。
【０１１６】
また、供給コア収納体１０を流通させる場合には、上述した熱転写シート体２を流通させる場合と同様に、熱転写シート５が巻き弛みすることのないように、収納ケース３０内で供給コア１１の回転を規制するようにすることが好ましい。さらに、端部領域のみを収納ケース３０のスリット３３から出しておきテープ等で収納ケース３０に固定しておくことも好ましい。さらにまた、熱転写シート５の巻取コア２１に固定（連結）する側の端部を先細とするとともに、補強して剛性を高めておくことがさらに好ましい。この場合、この端部を巻取コア保持部６１とロッド７１との間へ案内することが容易となる。
【０１１７】
さらに、本実施の形態においては、熱転写シート体２を熱転写シート体用カセット４０に収納し、その後、熱転写シート体用カセット４０をプリンタ内に組み込む例を示したが、これに限られず、熱転写シート体用カセット４０がプリンタと一体に形成され、熱転写シート体２をプリンタ内に直接収納装着するようにしてもよい。すなわち、供給コア収納体保持部５１、巻取コア保持部６１、および端壁４１を直接プリンタ内に設けるようにしてもよい。
【図面の簡単な説明】
【０１１８】
【図１】本発明による熱転写シート体と熱転写シート体用カセットとの組合せ体の一実施の形態を示す斜視図。
【図２】組合せ体を示す平面図。
【図３】組合せ体を示す側面図。
【図４】図２のＩＶ−ＩＶ線に沿った断面図。
【図５】図２のＶ−Ｖ線に沿った断面図。
【図６】図２のＶＩ−ＶＩ線に沿った断面図。
【図７】熱転写シート体の熱転写シート体用カセットの収納方法、および熱転写シート体用カセットからの取り外し方法を示す断面図。
【図８】収納ケースを供給コアとともに示す分解斜視図。
【図９】供給コアまたは巻取コアを示す平面図。
【図１０】組合せ体の使用方法を説明する概略図。
【図１１】ロッドの取り外し方法を示す概略側面図。
【符号の説明】
【０１１９】
１  組合せ体
２  熱転写シート体
５  熱転写シート
１０  供給コア収納体
１１  供給コア
１４  端部
１５  端部
２１  巻取コア
２４  端部
２５  端部
３０  収納ケース
３０ａ  端面
３０ｂ  端面
３１  開口軸受
３２  開口軸受
３３  スリット
３６  ケース本体
３８  ケース蓋体
４０  熱転写シート体用カセット
４１  端壁
４８  連結部
５１  供給コア収納体保持部
５３  支持板
５３ａ  係合開口
５３ｂ  規制開口
５４  開口受部
５５  押圧部材
５６  トーションバネ
６１  巻取コア保持部
６３  支持板
６３ａ  係合開口
６３ｂ  規制開口
６４  開口軸受
６５  押圧部材
６６  トーションバネ
【図１】
2006281530.tif 000003
【図２】
2006281530.tif 000004
【図３】
2006281530.tif 000005
【図４】
2006281530.tif 000006
【図５】
2006281530.tif 000007
【図６】
2006281530.tif 000008
【図７】
2006281530.tif 000009
【図８】
2006281530.tif 000010
【図９】
2006281530.tif 000011
【図１０】
2006281530.tif 000012
【図１１】
2006281530.tif 000013